(57)【要約】【課題】負極におけるリチウム金属の析出を防止することができ、よって上記リチウム金属の析出に起因する正極板および負極板間の短絡を確実に防ぐことができるリチウム塩を含む電解液を用いた蓄電デバイスを提供する。【解決手段】集電体１３の表面に正極１４が形成された平板状の正極板１０と、集電体１５の表面にリチウムイオンの吸蔵および放出が可能な物質からなる負極１６が形成された平板状の負極板１２とが、セパレータ１１を間に介して複数積層されて、これらの間にリチウム塩を含む電解液が注液されてなり、負極１６は、予めリチウムがドープされ、かつ外形寸法が正極１４よりも大きく形成されるとともに、複数の正極１４は、その外周縁の少なくとも一部が隣接する層の正極１４の外周縁と積層方向に一致せず、かつ上記外周縁が負極１６の外周縁の内側に位置するように配置されている。【選択図】図３
2009129917.tif 000002
【特許請求の範囲】
【請求項１】
集電体の表面に正極が形成された平板状の正極板と、集電体の表面にリチウムイオンの吸蔵および放出が可能な物質からなる負極が形成された平板状の負極板とが、セパレータを間に介して複数積層されるとともに、これらの間にリチウム塩を含む電解液が注液されてなる蓄電デバイスにおいて、
上記負極は、予めリチウムがドープされ、かつ外形寸法が上記正極よりも大きく形成されるとともに、
上記積層された複数の上記正極板の正極は、その外周縁の少なくとも一部が、隣接する層の上記正極の外周縁と積層方向に一致せず、かつ上記外周縁が上記負極の外周縁の内側に位置するように配置されていることを特徴とする蓄電デバイス。
【請求項２】
上記正極は、その外周縁が全周にわたって隣接する層の上記正極の外周縁と上記積層方向に一致しないように配置されていることを特徴とする請求項１に記載の蓄電デバイス。
【請求項３】
上記複数の正極板は、互いに同形状に形成されるとともに、上記複数の負極板は、互いに同形状に形成されていることを特徴とする請求項１または２に記載の蓄電デバイス。
【請求項４】
上記蓄電デバイスは、リチウムイオンキャパシタであることを特徴とする請求項１ないし３のいずれかに記載の蓄電デバイス。
【発明の詳細な説明】
【技術分野】
【０００１】
本発明は、セパレータを介して対向配置された複数層の正極板と負極板との間に、リチウム塩を含む電解液が注液されたリチウムイオンキャパシタやリチウムイオン二次電池等の蓄電デバイスに関するものである。
【背景技術】
【０００２】
近年、リチウム塩を含む電解液を用いた蓄電デバイスの一種であるリチウムイオンキャパシタは、従来のバッテリと比較して小型・軽量であるにも拘わらず、エネルギー容量が極めて大きく、しかも急速な充放電が可能であることから、風力発電の負荷平準化装置、電圧の瞬低対策装置、ハイブリッド電気自動車や燃料電池車等におけるバックアップ用電源装置等の広い分野において使用されつつある。
【０００３】
一方、この種のリチウムイオンキャパシタにおいては、例えば下記特許文献１に見られるように、予め負極にリチウムをドープさせておくことにより、従来の単に電気二重層機能を利用して蓄電するリチウムイオンキャパシタを、より高電圧化させるとともに、エネルギー密度を高めて、一層の小型・軽量化を可能としたものが提案されている。
【特許文献１】特許第３４８５９３５号公報
【発明の開示】
【発明が解決しようとする課題】
【０００４】
ところで、このようなリチウムイオンキャパシタは、一般に、集電体の両面に正極を形成した複数の平板状の正極板と、集電体の両面にリチウムイオンの吸蔵および放出が可能な物質からなる負極を形成した複数の平板状の負極板とを、セパレータを間に介して交互に積層し、得られた積層体の両端部間に圧縮方向の荷重を付与して一体化するとともに、これらの間にリチウム塩を含む電解液を注液することにより構成されている。
【０００５】
この際に、上記正極と負極とを同寸法形状に形成すると、当該正極の外周縁と負極の外周縁とによってセパレータが挟まれた状態になるために、集電板の加工時に発生する外周縁部のバリや歪みに起因して、セパレータ側に凸状となる外周縁に上記圧縮力による応力が集中し、この結果当該外周縁がセパレータを突き抜けて他方に接触することにより、両者間の短絡が発生するおそれがある。そして、このような弊害は、組立精度が高まって正極および負極の外周縁が積層方向に正確に一致する程、また装置の小型化に伴ってセパレータの厚さが薄くなる程、発生する可能性が高くなる。
【０００６】
このため、上記セパレータに直接当接する正極および負極の一方の外形寸法を、他方よりも小さくすることにより、上記応力集中を緩和する対策が考えられるが、例えば図６に示すように、集電体１の両面に正極２を形成した方形板状の正極板３と、集電体４の両面に負極５を形成した方形板状の負極板６とを、セパレータ７を間に介して積層するに際して、負極５の外形寸法を正極２の外形寸法よりも小さくすると、図中点線で示すように、負極５の外周縁に電流が過度に集中し、この結果、特に負極５に予めリチウムをドープしたものにあっては、容易にリチウム金属が析出してしまうという問題点が生じる。
【０００７】
そこで、図７に示すように、負極５の外形寸法を正極２の外形寸法よりも大きくすれば、上述した負極５の外周縁における過度の電流集中の発生を防止することができる。
【０００８】
ところが、上記構成においては、図８に示すように、多数の正極板３および負極板６を積層した場合に、全ての正極２の外周縁が、積層方向に同じ位置Ｐとなる。このため、正極２の外周縁に上記圧縮方向の荷重による応力集中が生じ、この結果、負極板６の厚さが薄いと、正極２の外周縁と対向する部分に凹状の撓みが生じて電流集中が起き、当該箇所に同様にリチウム金属が析出してしまうという問題点を生じる。
【０００９】
本発明は、かかる事情に鑑みてなされたもので、負極におけるリチウム金属の析出を防止することができ、よって上記リチウム金属の析出に起因する正極板および負極板間の短絡を確実に防いで、構成部材のより一層の薄肉化を可能とするリチウム塩を含む電解液を用いた蓄電デバイスを提供することを課題とするものである。
【課題を解決するための手段】
【００１０】
上記課題を解決するために、請求項１に記載の発明は、集電体の表面に正極が形成された平板状の正極板と、集電体の表面にリチウムイオンの吸蔵および放出が可能な物質からなる負極が形成された平板状の負極板とが、セパレータを間に介して複数積層されるとともに、これらの間にリチウム塩を含む電解液が注液されてなる蓄電デバイスにおいて、上記負極は、予めリチウムがドープされ、かつ外形寸法が上記正極よりも大きく形成されるとともに、上記積層された複数の上記正極板の正極は、その外周縁の少なくとも一部が、隣接する層の上記正極の外周縁と積層方向に一致せず、かつ上記外周縁が上記負極の外周縁の内側に位置するように配置されていることを特徴とするものである。
【００１１】
また、請求項２に記載の発明は、請求項１に記載の発明において、上記正極の外周縁が、全周にわたって隣接する層の上記正極の外周縁と上記積層方向に一致しないように配置されていることを特徴とするものである。
【００１２】
ここで、正極の外周縁が全周にわたって隣接する層の正極の外周縁と一致しないとは、両者の外周縁が積層方向において同一線上に一致しないことを意味するものであり、両者の外周縁が積層方向において交差する点は、上記一致に含まれない。
【００１３】
さらに、請求項３に記載の発明は、請求項１または２に記載の発明において、上記複数の正極板が、互いに同形状に形成されるとともに、上記複数の負極板が、互いに同形状に形成されていることを特徴とするものである。
【００１４】
また、請求項４に記載の発明は、請求項１〜３のいずれかに記載の発明において、上記蓄電デバイスが、リチウムイオンキャパシタであることを特徴とするものである。
【発明の効果】
【００１５】
請求項１〜４のいずかに記載の発明においては、負極の外形寸法を正極の外形寸法よりも大きく形成するとともに、正極の外周縁が負極の外周縁の内側に位置するように配置しているために、負極の外周縁に電流が過度に集中して当該部分にリチウム金属が析出することを防ぐことができる。
【００１６】
加えて、複数の正極板を積層するに際して、各々の正極板における正極の外周縁の少なくとも一部を、これと隣接する層の正極の外周縁と積層方向に一致しないように配置しているために、全ての正極の外周縁が積層方向に同じ位置になることがなく、よって積層方向に作用する圧縮荷重によって正極の外周縁に応力集中を生じることがない。
【００１７】
このため、上記正極板の外周縁の近傍に対向する負極板に、上記応力集中による局部的な凹状の撓みが生じることがなく、よって当該撓みに起因する電流集中によって当該箇所の負極表面にリチウム金属が析出することも防止することができる。この結果、負極におけるリチウム金属の析出を防止することができ、よって上記リチウム金属の析出に起因する正極板および負極板間の短絡を確実に防ぐことができるために、正極板、負極板およびセパレータといった構成部材のより一層の薄肉化を図ることもできる。
【００１８】
ここで、上記圧縮荷重による正極の外周縁への応力集中を確実に回避するためには、請求項２に記載の発明のように、正極を、その外周縁が全周にわたって隣接する層の正極の外周縁と積層方向に一致しないように配置することが好ましい。
【００１９】
また、請求項１または２に記載の発明においては、積層方向の上下に位置する複数の正極板における正極の外形寸法を、互いに違えることにより対応することも可能であるが、請求項３に記載の発明のように、複数の上記正極板を互いに同形状に形成し、かつ複数の上記負極板を互いに同形状に形成すれば、負極板間に配置される正極板を、積層方向に隣接する層の正極板に対して、上記積層方向と直交する方向に幾分ずらして配置することにより、容易に対応することができる。加えて、装置全体として一種類の形状の正極板および負極板を準備すればよいために、製造コストの増加を招くことが無く、かつ安定した蓄電性能を担保することもできる。
【００２０】
したがって、請求項１〜３に記載の発明は、特に請求項４に記載の発明のように、より一層の高電圧および高エネルギー密度が要請されるリチウムイオンキャパシタに適用した場合に、顕著な効果を奏する。
【発明を実施するための最良の形態】
【００２１】
図１〜図５は、本発明に係る蓄電デバイスをリチウムイオンキャパシタに適用した実施形態を示すものである。
このリチウムイオンキャパシタは、正極板１０、セパレータ１１および負極板１２によって１組の蓄電ユニットが形成され、複数の上記蓄電ユニットが積層されるとともに、これら正極板１０、セパレータ１１および負極板１２間に、リチウム塩を含む電解液が注液されることにより概略構成されたものである。
【００２２】
ここで、正極板１０は、ニッケル箔やアルミニウム箔等の耐酸化性を有して化学的に溶出しない金属箔からなる集電体１３の両面に、それぞれ炭素材料からなる正極１４が形成されたものであり、集電体１３の１辺には接続用舌部１３ａが一体に形成されている。
【００２３】
より具体的に説明すると、この正極板１０は、２５μｍ〜３５μｍの厚さ寸法の上記集電体１３の両面に、活性炭ＹＰ−１７（クラレケミカル株式会社製）、アセチレンブラックＨＳ−１００（電気化学工業株式会社製）、ＰＴＦＥ（ポリテトラフルオロエチレン）の水性デイスバージョン（三井デュポンフルオロケミカル３０Ｊ）およびＣＭＣ（第１製薬株式会社セロゲン４Ｈ）の２重量％水溶液を、重量比で８８：８：２：２となるように混合し、蒸留水を加えてペースト状に混練することによって正極合剤スラリーを作製し、得られた当該正極合剤スラリーを圧延して、７０μｍ〜９０μｍの厚さ寸法の正極１４を形成した後に、金型を用いて図１に示す形状に打ち抜くことによって作成されたものである。なお、上記ＰＴＦＥの水性デイスバージョン（三井デュポンフルオロケミカル３０Ｊ）およびＣＭＣ（第１製薬株式会社セロゲン４Ｈ）の比率は、固形分の割合である。これにより、この正極板１０およびその表面の正極１４は、（５０ｍｍ〜１５０ｍｍ）×（５０ｍｍ〜１５０ｍｍ）の方形（図では正方形）に形成されている。
【００２４】
また、負極板１２は、負極材料である難黒鉛化性炭素材料（呉羽化学株式会社製のＰＩＣ）とポリフッ化ビニリデン樹脂（呉羽化学株式会社製のＫＦ＃１１００）を重量比で９５：５に混合し、溶剤としてのＮ−メチル−２−ピロリジノンを加えてペースト状に混練した後、厚さ１４μｍの銅箔の両面に塗布し、乾燥および圧延操作を行って負極１６を形成し、金型を用いて図１に示す形状に打ち抜くことによって作成されたものであり、集電体１５の１辺には接続用舌部１５ａが一体に形成されている。
【００２５】
ちなみに、この負極板１２における集電体１５の厚さ寸法は、１２〜１６μｍであり、負極１６は、３６〜４０μｍの厚さ寸法に形成されている。また、この負極板１２における負極１６は、（５０ｍｍ〜１５０ｍｍ）×（５０ｍｍ〜１５０ｍｍ）の方形（図では長方形）であって、かつ正極１４よりも大きな寸法に形成されている。なお、集電体１５は、一対の対向辺間の寸法が負極１６の形成寸法よりも大きい寸法に形成されており、これにより集電体１５一対の対向辺と負極１６との間には、集電体の露出部１５ｂが形成されている。
【００２６】
さらに、セパレータ１１は、ポリエチレン、ポリプロピレン等の合成樹脂やガラス繊維等からなる通液性および非電子伝導性を有するシート材からなるもので、負極板１２の集電体１５と等しい外形寸法の方形（図では長方形）に形成されている。
【００２７】
そして、このリチウムイオンキャパシタは、図５に示すように、複数の同一形状の正極板１０と複数の同一形状の負極板１２とが、セパレータ１１を間に挟んで交互に積層され、正極板１０および負極板１２の集電体１３、１５に形成された接続用舌部１３ａ、１５ａに、それぞれ図１に示すように外部端子１７、１８が溶接されるとともに、得られた積層体の両端部間に圧縮方向の荷重が付与されることにより一体化され、さらにラミネートフィルム等からなる外装に収納されて、内部にＬｉＩ、ＬｉＣｌＯ４、ＬｉＡｓＦ６等のリチウム塩を含む電解液が注液された後に、内部が真空引きされて封止されることにより構成されている。この際に、負極１５には、拡散したリチウムイオンがプレドープされている。
【００２８】
ここで、上記リチウムイオンキャパシタにおいては、複数の正極板１０が、正極１４の外周縁の少なくとも一部が、直下に位置する正極板１０の正極１４の外周縁と積層方向に一致しないように、順次積層方向と直交する方向にずらした状態で配置されている。なお、この場合においても、全ての正極板１０は、それぞれの正極１４の外周縁が、負極板１２の負極１６の外周縁よりも内側に位置するように配置されている。
【００２９】
すなわち、図２に示すように、積層方向の最上段に位置する正極板１０ａに対して、その直下に位置する正極板１０ｂは僅かに図中右方向にずれた位置に配置され、この正極板１０ｂの直下に位置する正極板１０ｃは、正極板１０ｂに対して僅かに図中下方にずれた位置に配置され、この正極板１０ｃの直下に位置する正極板１０ｄは、正極板１０ｃに対して僅かに図中左方にずれた位置に配置されるとともに、正極板１０ｄの下方に位置する正極板１０についても、同様にして順次積層方向と直交する方向に僅かにずれた位置に配置されている。
【００３０】
また、図４に示す他の正極板１０の配置例においては、正極板１０の直下に位置する正極板１０は、直上の正極板１０の正極１４と４つの角部がすべて一致しないように、すなわち外周縁が全周にわたって直上に位置する正極１４の外周縁と積層方向に一致しないように配置されている。
【００３１】
以上の構成からなるリチウムイオンキャパシタによれば、負極１６の外形寸法を正極１４の外形寸法よりも大きく形成するとともに、正極板１０を、正極１４の外周縁が負極１６の外周縁の内側に位置するように配置しているために、負極１６の外周縁に電流が過度に集中して当該部分にリチウム金属が析出することを防ぐことができる。
【００３２】
これに加えて、複数の正極板１０を積層するに際して、各々の正極板１０における正極１４の外周縁の少なくとも一部（図２）または全部（図４）を、その直下に位置する正極板１０の正極１４の外周縁と積層方向に一致しないように配置しているために、図３および図５に示すように、任意の正極１４の外周縁の位置Ｐに対して、その直下の正極１４の外周縁が積層方向と直交する方向にずれた位置になる。
【００３３】
このため、積層方向に作用する圧縮荷重によって、正極１４の外周縁に応力集中を生じることがなく、よって正極１４の外周縁に対向する負極１６の部分に、上記応力集中による局部的な凹状の撓みが生じることがないために、当該撓みに起因する電流集中によって負極１６の表面にリチウム金属が析出することも防止することができる。
【００３４】
ここで、上記圧縮荷重による正極の外周縁への応力集中を確実に回避するためには、請求項２に記載の発明のように、正極を、その外周縁が全周にわたって直下に位置する上記正極の外周縁と積層方向に一致しないように配置することが好ましい。
【００３５】
したがって、上記リチウムイオンキャパシタによれば、負極１６におけるリチウム金属の析出を防止することができ、よって上記リチウム金属の析出に起因する正極板１０および負極板１２間の短絡を確実に防ぐことができるために、正極板１０、負極板１２およびセパレータ１１といった構成部材のより一層の薄肉化を図ることもできる。
【００３６】
さらに、複数の正極板１０として互いに同一形状のものを用い、かつ複数の負極板１２としても互いに同一形状のものを用いているために、負極板１２間に配置される正極板１０を、その積層方向の直下に位置する正極板１０に対して、上記積層方向と直交する方向に幾分ずらして配置することにより、容易に対応することができる。
【００３７】
しかも、装置全体として一種類の形状の正極板１０、セパレータ１１および負極板１２を準備すればよいために、製造コストの増加を招くことが無く、かつ安定した蓄電性能を担保することもできる。
【００３８】
なお、上記実施の形態においては、本発明に係る蓄電デバイスを、リチウムイオンキャパシタに適用した場合についてのみ説明したが、これに限るものではなく、セパレータを介して対向配置された複数層の正極板と負極板との間に、リチウム塩を含む電解液が注液されたリチウムイオン二次電池等の蓄電デバイスに対しても、同様に適用することができる。
【図面の簡単な説明】
【００３９】
【図１】本発明の一実施形態における正極板、セパレータおよび負極板の形状を示す平面図である。
【図２】上記実施形態における複数の正極板の積層方向の位置関係を示す平面図である。
【図３】図１の正極板、セパレータおよび負極板の積層状態を分解して示す正面図である。
【図４】図２の正極板の積層方向における位置関係の他の例を示す斜視図である。
【図５】図１の正極板、セパレータおよび負極板の積層体を示す正面図である。
【図６】リチウムイオンキャパシタにおいて負極を正極より小さく形成した場合の状態を示す正面図である。
【図７】リチウムイオンキャパシタにおいて負極を正極より大きく形成した場合の状態を示す正面図である。
【図８】図７のリチウムイオンキャパシタを示す正面図である。
【符号の説明】
【００４０】
１０、１０ａ、１０ｂ、１０ｃ、１０ｄ  正極板
１１  セパレータ
１２  負極板
１３、１５  導電体
１４  正極
１６  負極
【図１】
2009129917.tif 000003
【図２】
2009129917.tif 000004
【図３】
2009129917.tif 000005
【図４】
2009129917.tif 000006
【図５】
2009129917.tif 000007
【図６】
2009129917.tif 000008
【図７】
2009129917.tif 000009
【図８】
2009129917.tif 000010